【手続補正書】
【提出日】平成17年8月10日(2005.8.10)
【手続補正１】
【補正対象書類名】明細書
【補正対象項目名】特許請求の範囲
【補正方法】変更
【補正の内容】
【特許請求の範囲】
【請求項１】
複数の物品を収容したケースを複数層に段積みしたパレット単位で保管するとともに、該ケースをパレットの層単位で取出し可能とするパレット単位保管区分と、
複数の物品を収容したケースをケース単位で保管するとともに、該ケースをケース単位で取出し可能とするケース単位保管区分とを有し、
パレット単位保管区分とケース単位保管区分からそれらのケースを出荷するピッキング方法において、
同一品種物品のケースについて、ケース単位保管区分の在庫数Ｐの方が出荷総数Ｏより多いときには、ケース単位保管区分の中から必要数Ｏのケースを出荷し、
ケース単位保管区分の在庫数Ｐの方が出荷総数Ｏより少ないときには、ケース単位保管区分の在庫数Ｐのケースの全数を出荷し、不足数（Ｏ−Ｐ）をパレットの層単位数に切上げ算出し、算出した層数分のケースをパレット単位保管区分から取出して該不足数（Ｏ−Ｐ）のケースを出荷可能にするとともに、余剰ケースをケース単位保管区分へと入荷することを特徴とするピッキング方法。
【請求項２】
前記同一品種物品のケースについて、ケース単位保管区分の在庫数Ｐの方が出荷総数Ｏより多いときに、ケース単位保管区分から在庫数Ｐのケースの全数を取出し、この中から必要数Ｏのケースを出荷し、この出荷後の余剰ケースをケース単位保管区分へと返却する請求項１に記載のピッキング方法。
【請求項３】
複数の物品を収容したケースを複数層に段積みしたパレット単位で保管するとともに、該ケースをパレットの層単位で取出し可能とするパレット単位保管区分と、
複数の物品を収容したケースをケース単位で保管するとともに、該ケースをケース単位で取出し可能とするケース単位保管区分と、
パレット単位保管区分とケース単位保管区分から出荷されるケースを受入れ、それらのケースを複数の分岐荷揃えラインへ仕分ける仕分け搬送ラインとを有し、
制御コンピュータが、出荷計画データに基づき、パレット単位保管区分とケース単位保管区分とを制御し、パレット単位保管区分とケース単位保管区分からそれらのケースを仕分け搬送ラインへと出荷するピッキング装置において、
制御コンピュータは、
同一品種物品のケースについて、ケース単位保管区分の在庫数Ｐの方が出荷総数Ｏより多いときには、ケース単位保管区分の中から必要数Ｏのケースを出荷し、
ケース単位保管区分の在庫数Ｐの方が出荷総数Ｏより少ないときには、ケース単位保管区分の在庫数Ｐのケースの全数を出荷し、不足数（Ｏ−Ｐ）をパレットの層単位数に切上げ算出し、算出した層数分のケースをパレット単位保管区分から取出して該不足数（Ｏ−Ｐ）のケースを出荷可能にするとともに、余剰ケースをケース単位保管区分へと入荷することを特徴とするピッキング装置。
【請求項４】
前記制御コンピュータが、前記同一品種物品のケースについて、ケース単位保管区分の在庫数Ｐの方が出荷総数Ｏより多いときに、ケース単位保管区分から在庫数Ｐのケースの全数を取出し、この中から必要数Ｏのケースを出荷し、この出荷後の余剰ケースをケース単位保管区分へと返却する請求項３に記載のピッキング装置。
【手続補正２】
【補正対象書類名】明細書
【補正対象項目名】００１２
【補正方法】変更
【補正の内容】
【００１２】
【課題を解決するための手段】
請求項１の発明は、複数の物品を収容したケースを複数層に段積みしたパレット単位で保管するとともに、該ケースをパレットの層単位で取出し可能とするパレット単位保管区分と、複数の物品を収容したケースをケース単位で保管するとともに、該ケースをケース単位で取出し可能とするケース単位保管区分とを有し、パレット単位保管区分とケース単位保管区分からそれらのケースを出荷するピッキング方法において、同一品種物品のケースについて、ケース単位保管区分の在庫数Ｐの方が出荷総数Ｏより多いときには、ケース単位保管区分の中から必要数Ｏのケースを出荷し、ケース単位保管区分の在庫数Ｐの方が出荷総数Ｏより少ないときには、ケース単位保管区分の在庫数Ｐのケースの全数を出荷し、不足数（Ｏ−Ｐ）をパレットの層単位数に切上げ算出し、算出した層数分のケースをパレット単位保管区分から取出して該不足数（Ｏ−Ｐ）のケースを出荷可能にするとともに、余剰ケースをケース単位保管区分へと入荷するようにしたものである。
【手続補正３】
【補正対象書類名】明細書
【補正対象項目名】００１４
【補正方法】変更
【補正の内容】
【００１４】
請求項３の発明は、複数の物品を収容したケースを複数層に段積みしたパレット単位で保管するとともに、該ケースをパレットの層単位で取出し可能とするパレット単位保管区分と、複数の物品を収容したケースをケース単位で保管するとともに、該ケースをケース単位で取出し可能とするケース単位保管区分と、パレット単位保管区分とケース単位保管区分から出荷されるケースを受入れ、それらのケースを複数の分岐荷揃えラインへ仕分ける仕分け搬送ラインとを有し、制御コンピュータが、出荷計画データに基づき、パレット単位保管区分とケース単位保管区分とを制御し、パレット単位保管区分とケース単位保管区分からそれらのケースを仕分け搬送ラインへと出荷するピッキング装置において、制御コンピュータは、同一品種物品のケースについて、ケース単位保管区分の在庫数Ｐの方が出荷総数Ｏより多いときには、ケース単位保管区分の中から必要数Ｏのケースを出荷し、ケース単位保管区分の在庫数Ｐの方が出荷総数Ｏより少ないときには、ケース単位保管区分の在庫数Ｐのケースの全数を出荷し、不足数（Ｏ−Ｐ）をパレットの層単位数に切上げ算出し、算出した層数分のケースをパレット単位保管区分から取出して該不足数（Ｏ−Ｐ）のケースを出荷可能にするとともに、余剰ケースをケース単位保管区分へと入荷するようにしたものである。
【手続補正４】
【補正対象書類名】明細書
【補正対象項目名】００１６
【補正方法】変更
【補正の内容】
【００１６】
【作用】
請求項１、３の発明によれば下記(1)〜(5)の作用がある。
(1)ケース単位保管区分の在庫数Ｐがゼロの場合には、ケース単位保管区分の中からのケースの出荷は当初から考慮されず、パレット単位保管区分から出荷される。従って、ケース単位保管区分に予め在庫を確保しておく必要がなく、取扱い性が良い。
【手続補正５】
【補正対象書類名】明細書
【補正対象項目名】００１７
【補正方法】変更
【補正の内容】
【００１７】
(2)パレット単位保管区分から取出したケースをケース単位保管区分へと入荷するときには、ケース単位保管区分の在庫が全数を出荷されていて空になるから、その余剰ケースのケース単位保管区分への受入れスペースの有無をその都度確認する必要がなく、取扱い性が良い。
【手続補正６】
【補正対象書類名】明細書
【補正対象項目名】００１８
【補正方法】変更
【補正の内容】
【００１８】
(3)ケース単位保管区分の在庫数Ｐの方が出荷総数Ｏより少ないとき、ケース単位保管区分の在庫数Ｐの全数を出荷するから、ケース単位保管区分からの出荷数を計数する必要がなく、迅速簡易に出荷できる。また、パレット保管区分から層単位でケースを取出すから、この場合にもパレット単位保管区分からの取出数を計数する必要がなく、迅速簡易に取出しできる。
【手続補正７】
【補正対象書類名】明細書
【補正対象項目名】００１９
【補正方法】変更
【補正の内容】
【００１９】
(4)パレット単位保管区分から取出したケースのうちの余剰分をケース単位保管区分へ入荷するものであるから、その余剰分を仮保管するオーバーフローエリア等をパレット単位保管区分に付帯する必要がなく、またオーバーフローエリアに仮保管した余剰ケースを後処理する必要もなく、取扱い性が良い。
【手続補正８】
【補正対象書類名】明細書
【補正対象項目名】００２０
【補正方法】変更
【補正の内容】
【００２０】
(5)同一品種物品のケースについて、ケース単位保管区分の在庫数Ｐの方が出荷総数Ｏより少ないときには、ケース単位保管区分とパレット単位保管区分の両区分から出荷されるが、ケース単位保管区分の在庫数Ｐが必ず全数出荷されるから、物品の先入れ／先出しが保証される。
【手続補正９】
【補正対象書類名】明細書
【補正対象項目名】００２１
【補正方法】変更
【補正の内容】
【００２１】
請求項２、４の発明によれば下記(6)、(7)の作用がある。
(6)同一品種物品のケースについて、ケース単位保管区分の在庫数Ｐの方が出荷総数Ｏより多いときには、ケース単位保管区分から必要数Ｏを取出して出荷することもできるが、ケース単位保管区分から在庫数Ｐの全数を取出し、この中から必要数Ｏを出荷し、この出荷後の余剰ケースをケース単位保管区分へと返却するものとすることにより、ケース単位保管区分からの取出時にその取出数を計数する必要がなく、迅速簡易に取出しできる。
【手続補正１０】
【補正対象書類名】明細書
【補正対象項目名】００２２
【補正方法】変更
【補正の内容】
【００２２】
(7)また、出荷頻度の低い品種物品（Ｃ管理品）については、ケース単位保管区分から一旦全数取出すことにより、その後、余剰分の保管ゾーンをＣ管理品用の新ゾーンへと変更することにより、当該品種物品の保管ゾーンを変更し易い。